(57)【特許請求の範囲】
【請求項１】
光記録媒体に形成されたピットに光学ピックアップからレーザー光を照射して反射光を検出することにより情報信号を再生する光情報再生装置における、フォーマットの異なる複数の種類の上記光記録媒体の相違を判別する光記録媒体判別装置であって、
上記光記録媒体上の所定位置で光学ピックアップにより上記情報信号を再生する再生手段と、
上記再生手段により再生された情報信号の位相をロックさせるためのクロック信号を検出する位相ロック手段と、を備え、
上記位相ロック手段における再生された上記情報信号の２値化信号の最長パターンの出現間隔の相違、もしくは、上記最長パターンに続くパターンと上記最長パターンとの比率または差の相違から、上記フォーマットの異なる複数の種類の上記光記録媒体の相違を判別するようにしたことを特徴とする光記録媒体判別装置。
【請求項２】
請求項１記載の光記録媒体判別装置において、
上記位相ロック手段における再生された上記情報信号の２値化信号の最長パターンと最短パターンとの比率、または差の相違から上記フォーマットの異なる複数の種類の上記光記録媒体の相違を判別するようにしたことを特徴とする光記録媒体判別装置。
【請求項３】
請求項１記載の光記録媒体判別装置において、
上記位相ロック手段における再生された上記情報信号の２値化信号の最長パターンの相違から上記フォーマットの異なる複数の種類の上記光記録媒体の相違を判別するようにしたことを特徴とする光記録媒体判別装置。
【請求項４】
請求項２記載の光記録媒体判別装置において、
所定区間で検出される上記最短パターンのうち、最大のものを最短パターンとして採用するようにしたことを特徴とする光記録媒体判別装置。
【請求項５】
光記録媒体に形成されたピットに光学ピックアップからレーザー光を照射して反射光を検出することにより情報信号を再生する光情報再生方法における、フォーマットの異なる複数の種類の上記光記録媒体の相違を判別する光記録媒体判別方法であって、
上記光記録媒体上の所定位置で光学ピックアップにより上記情報信号を再生し、
再生された上記情報信号の位相をロックさせるためのクロック信号を検出する際に、
再生された上記情報信号の２値化信号の最長パターンの出現間隔の相違、もしくは、上記最長パターンに続くパターンと上記最長パターンとの比率または差の相違から、上記フォーマットの異なる複数の種類の上記光記録媒体の相違を判別するようにしたことを特徴とする光記録媒体判別方法。
【請求項６】
請求項５記載の光記録媒体判別方法において、
再生された上記情報信号の２値化信号の最長パターンと最短パターンとの比率、または差の相違から上記フォーマットの異なる複数の種類の上記光記録媒体の相違を判別するようにしたことを特徴とする光記録媒体判別方法。
【請求項７】
請求項５記載の光記録媒体判別方法において、
再生された上記情報信号の２値化信号の最長パターンの相違から上記フォーマットの異なる複数の種類の上記光記録媒体の相違を判別するようにしたことを特徴とする光記録媒体判別方法。
【請求項８】
請求項６記載の光記録媒体判別方法において、
所定区間で検出される上記最短パターンのうち、最大のものを最短パターンとして採用するようにしたことを特徴とする光記録媒体判別方法。
【請求項９】
請求項５記載の光記録媒体判別方法において、
上記判別結果がリセットされるまでは、当該判別結果を記憶しておいて、リセットされた後は、その判別結果を用いるようにしたことを特徴とする光記録媒体判別方法。
【発明の詳細な説明】
【０００１】
【発明の属する技術分野】
本発明は、光記録媒体判別装置及び光記録媒体判別方法に関し、例えばコンパクトディスク（ＣＤ）やディジタルビデオディスク（ＤＶＤ）、及びこれらのディスクの再生装置に適用することができる。
【０００２】
【従来の技術】
従来、例えばこの種の光情報記録媒体でなるディジタルビデオディスク（ＤＶＤ）の再生装置においては、コンパクトディスク（ＣＤ）との互換性を持たせてコンパクトディスク（ＣＤ）も再生できることが必須の条件となっている。
【０００３】
このような従来の光ディスク判別に関して、特開平１−１７５４０９号公報には、入力信号の最長パルス幅を検出する最長パルス幅検出器と、入力信号の最短パルス幅を検出する最短パルス幅検出器と、検出された最長パルス幅および最短パルス幅の値を入力し両者の大小関係を比較して判別出力信号を出力する判別器とを設け、コンパクトディスク（ＣＤ）とビデオディスク（ＶＤ）の両方を１枚のディスクに記録したＣＶＤディスクのＣＤ領域とＶＤ領域とを判別する信号判別装置が開示されている。
【０００４】
【発明が解決しようとする課題】
しかし、上述した従来の光ディスク判別方式では、判別処理を光ディスクの再生動作とは別に設けることになるため、判別処理のために時間がかかり、また１枚のディスクに記録したＣＶＤディスクのＣＤ領域とＶＤ領域とを判別するものであるため異なるディスクの判別に用いた場合には誤判別が発生する恐れがあるという不都合があり、さらに高速で確実な判別方式が要求されている。
【０００５】
また、最近、基盤厚の違いによる収差を補正するレンズが開発されたので、ＤＶＤ／ＣＤの基盤厚の違いによる収差を補正する対物レンズを用いた場合には、特に、予め上述したＤＶＤ／ＣＤ判別動作を行わなくても、光ディスク（ＣＤ−ＲＯＭを除く）に対してトラッキングサーボおよびフォーカスサーボまではかかるように構成されるようになってきている。しかし、クロック再生成ＰＬＬ（フェイズロックドループ）は判別を行わないと位相をロックすることができないので、やはり判別が必要になってしまい、収差補正レンズを用いてもＤＶＤ／ＣＤ判別動作を行わなくてはならないという不都合があった。
【０００６】
本発明は以上の点を考慮してなされたもので、高速且つ確実に光ディスクの判別を行うことができる光記録媒体判別装置及び光記録媒体判別方法を提案しようとするものである。
【０００７】
【課題を解決するための手段】
かかる課題を解決するため本発明の光記録媒体判別装置は、光記録媒体に形成されたピットに光学ピックアップからレーザー光を照射して反射光を検出することにより情報信号を再生する光情報再生装置における、フォーマットの異なる複数の種類の上記光記録媒体の相違を判別する光記録媒体判別装置であって、上記光記録媒体上の所定位置で光学ピックアップにより上記情報信号を再生する再生手段と、上記再生手段により再生された情報信号の位相をロックさせるためのクロック信号を検出する位相ロック手段と、を備え、上記位相ロック手段における再生された上記情報信号の２値化信号の最長パターンの出現間隔の相違、もしくは、上記最長パターンに続くパターンと上記最長パターンとの比率または差の相違から、上記フォーマットの異なる複数の種類の上記光記録媒体の相違を判別するようにしたものである。
【０００８】
また、本発明の光記録媒体判別方法は、光記録媒体に形成されたピットに光学ピックアップからレーザー光を照射して反射光を検出することにより情報信号を再生する光情報再生方法における、フォーマットの異なる複数の種類の上記光記録媒体の相違を判別する光記録媒体判別方法であって、上記光記録媒体上の所定位置で光学ピックアップにより上記情報信号を再生し、再生された上記情報信号の位相をロックさせるためのクロック信号を検出する際に、再生された上記情報信号の２値化信号の最長パターンの出現間隔の相違、もしくは、上記最長パターンに続くパターンと上記最長パターンとの比率または差の相違から、上記フォーマットの異なる複数の種類の上記光記録媒体の相違を判別するようにしたものである。
【０００９】
本発明の光記録媒体判別装置によれば、以下の作用をする。
駆動手段は、光記録媒体を回転駆動させる。再生手段は、光記録媒体上の所定位置で光学ピックアップにより情報信号を再生する。このようにして、光情報再生装置は光記録媒体に形成されたピットに光学ピックアップからレーザー光を照射して反射光を検出することにより情報信号を再生する。
【００１０】
位相ロック手段は再生手段により再生された情報信号の位相をロックさせるためのクロック信号を検出する。位相ロック手段における再生された情報信号の２値化信号の最長パターンの相違から同期信号のフォーマットの異なる複数の種類の上記光記録媒体の相違を判別する。このように、位相ロック手段による位相ロック時に、同期信号のフォーマットの異なる複数の種類の光記録媒体の相違を判別する。
【００１１】
【発明の実施の形態】
以下、適宜図面を参照しながら本発明の実施の形態の光記録媒体判別装置及び光記録媒体判別方法を詳述する。
【００１２】
図１は、本発明の実施の形態に係る光記録媒体判別録装置が適用される光ディスクドライブのクロック再生成ＰＬＬの構成を示すブロック図である。本発明の実施の形態の光ディスクドライブのクロック再生成ＰＬＬは、コンパクトディスク（ＣＤ）やディジタルビデオディスク（ＤＶＤ）などのように、同期信号のフォーマットが異なる光ディスクの判別を行うものであり、クロック再生成ＰＬＬの周波数引き込み過程で、光ディスクを判別するものである。具体的には、ＤＶＤ再生装置においてＤＶＤとＣＤとの２値化信号の最長パターンと最短パターンの比率の相違、２値化信号の最長パターンの出現間隔の相違、２値化信号の最長パターンに続くパターンと最長パターンの比率、または差の相違に着目して光ディスクを判別するものである。
【００１３】
すなわちこの光ディスクドライブ装置において、スピンドルモータ２は、図示しないスピンドルドライバーからの駆動パルスに基づいて、光ディスク１を回転駆動する。
【００１４】
スピンドルドライバーは、後述するクロック再生成ＰＬＬ４から供給されるクロックＰＬＣＫにより駆動パルスを生成する。図１に示す光ディスクドライブのクロック再生成ＰＬＬはいわゆる可変速再生に対応していて、スピンドルモータ２による光ディスク１の回転が規定の回転数に達していなくても、ＲＦ２値化信号からチャンネルクロック（ＰＬＣＫ）を再生成できるように構成されている。
【００１５】
光学ピックアップ３は、ディスク再生用のレーザービームを射出し、図示しない対物レンズは、このミラーの反射光を光ディスク１に集光する。対物レンズは、電磁力を用いた２軸アクチュエータによりフォーカス方向（上下方向）およびトラッキング方向（左右方向）に独立に移動される。
【００１６】
この光学ピックアップ３は、スレッドモータにより、光ディスク１の回転に同期して光ディスク１の外周方向に順次移動し、これによりレーザービームによる照射位置を順次光ディスク１の外周方向に変位させる。
【００１７】
これによりこの光ディスクドライブ装置では、光ディスク１を回転駆動した状態で、ミラー及び対物レンズの移動によりらせん状に形成されたトラックにレーザービームを照射して、この戻り光をフォトダイオードで検出して検出信号をＲＦアンプに供給する。ＲＦアンプは検出信号から再生ＲＦ信号を生成して再生ＲＦ信号処理回路に供給する。
【００１８】
再生ＲＦ信号はクロック再生成ＰＬＬ４の位相比較器５および周波数計測器６に供給される。位相比較器５は、ＲＦ信号とＰＬＣＫの位相を比較して位相差を出力する。位相比較器５から出力される位相差出力は加算器７の一方の入力端子に供給される。周波数計測器６はＲＦ信号に含まれる最長パターンからＶＣＯの出力周波数に対する周波数誤差信号を出力する。周波数計測器６から出力される周波数誤差出力は加算器７の他方の入力端子に供給される。加算器７は位相差出力および周波数誤差出力とを加算して加算出力をＬＰＦ（低域通過フィルター）８に供給する。
【００１９】
ＬＰＦ８は加算出力の低域を通過させて雑音や高周波成分を取り除いて低域利得を得るようにする。ＬＰＦ９の出力はＶＣＯ（電圧制御発振器）９に供給される。ＶＣＯ９はＬＰＦ９の出力を制御電圧として発振周波数を出力する。ＶＣＯ９の発振周波数は周波数計測器６にフィードバックされる。ＶＣＯ９の発振周波数は分周器１０によりＮ分周されて、ＰＬＣＫとして出力される。分周器１０によりＮ（整数）分周されたＰＬＣＫは位相比較器５にフィードバックされる。
【００２０】
すなわち、周波数計測器６は、ＶＣＯ９の出力であるＰＬＣＫでＲＦ信号のエッジ間隔を計測して、その一定区間の最大値が基準値より大きければＰＬＣＫの周波数がＲＦ信号の周波数より高いのでローレベルＬを出力し、逆に、最大値が基準値より小さければＰＬＣＫの周波数がＲＦ信号の周波数より低いのでハイレベルＨを出力する。これを繰り返すことにより、ＰＬＣＫの周波数はＲＦ信号の周波数に近づいていく。計測した最大値と基準値が一致すれば、周波数計測器６は出力しないので、位相比較器５の動作により最終的にはＲＦ信号とＰＬＣＫの周波数と位相とが一致する。
【００２１】
ここで、周波数計測器６における周波数比較の基準値はディスクがＣＤであれば基準クロック（チャンネルクロック）の周期Ｔに対して、１１Ｔ（×Ｎ）であり、ＤＶＤであれば１４Ｔ（×Ｎ）である。図１においては周波数計測の精度を上げるためにＰＬＣＫの整数（Ｎ）倍の周波数を用いている。また、ＲＦ信号のエッジ間隔を計測する単位としては、少なくとも１つの最長パターンが含まれる長さ（エッジ数）を単位とする。
【００２２】
例えば、ディスクがＣＤの場合、同期用の最長パターンの間隔は５８８Ｔ（ビット）であり、平均のパターン長は約４．５Ｔなので、１５０（＞５８８／４．５）のエッジが到来すれば、必ず最長パターンが含まれる。ＤＶＤでは同様に４００（＞１４８８／４．５）のエッジが到来すれば、必ず最長パターンが含まれる。
【００２３】
また、この他にシステム上、最もＲＦ信号の周波数が低くなったときの同期信号間隔を外部クロックで計算して測定間隔としたり、ディフェクトの影響を避けるために複数の連続した測定区間の最長パターンのエッジ間隔のうち、最小値を計測値として基準値と比較するようにしてもよい。
【００２４】
本実施の形態の光ディスクドライブのクロック再生成ＰＬＬでは、特に、クロック再生ＰＬＬ４の周波数計測器６を用いて、クロック再生成ＰＬＬ４の周波数引き込み過程で、上述したような構成及び動作により、ディスクの種類の判別を行うようにしている。
【００２５】
なお、信号処理回路は、オーディオデータ及びサブコードデータをＣＤまたはＤＶＤのフォーマットに従って復調処理し、ホストコンピュータに出力する。すなわち信号処理回路は、オーディオデータ及びサブコードデータから誤り訂正符号を検出して誤り訂正処理を施した後、デインターリーブ処理、ＣＤの場合はＥＦＭ復調処理またはＤＶＤの場合はＥＦＭ−ｐｌｕｓ（８／１６）復調処理する。なお、誤り訂正処理は、上述したクロック再生成ＰＬＬ４から供給されるクロックＰＬＣＫにより実行される。これにより信号処理回路は、ＤＲＡＭに再生されたデータをバッファリングしながらホストコンピュータとのインターフェースを行ってホストコンピュータに再生データを送出する。
【００２６】
以下、光ディスクドライブのクロック再生成ＰＬＬの周波数計測器の構成及び動作を詳細に説明する。
【００２７】
図２は、本実施の形態の周波数計測器の構成を示すブロック図である。図２において、周波数計測器は、ＰＬＣＫ（ＰＬＬ  ＣＬＯＣＫ）に基づいてＲＦ２値化信号のエッジ（ローレベルＬからハイレベルＨまたはハイレベルＨからローレベルＬ）を検出してエッジ検出パルスを出力するエッジ検出回路２０と、ＰＬＣＫに基づいてエッジ検出パルスからエッジ間隔を測定してエッジ間隔測定値を出力するエッジ間隔測定回路２１と、エッジ間隔測定値のうち最大値を記憶して、測定毎に測定値と記憶している値とを比較して測定値が大きければその測定値を記憶してエッジ最大値を出力するが、１フレーム以上の区間を示すパルスが入力されたとき記憶した値をリセットするエッジ最大値記憶回路２２とを有して構成される。
【００２８】
また、周波数計測器は、エッジ検出パルスからエッジの個数をカウントして予め定めた１フレーム以上の区間となる個数であるプリセット値（ＣＤ／ＤＶＤにより異なる値）をカウントする毎に最低１フレームの区間毎のパルスを出力するエッジ個数カウント回路２３と、１フレーム以上の区間毎にエッジ最大値と基準値（ＣＤ／ＤＶＤにより異なる値）とを比較して、最大値＞基準値のときローレベルＬを出力し最大値＜基準値のときハイレベルＨを出力し、最大値＝基準値のときハイインピーダンスを出力する基準値−エッジ最大値比較回路２４とを有して構成される。
【００２９】
このように構成された本実施の形態の周波数計測器の動作を図３に示すフローチャートを用いて説明する。
【００３０】
図３において、光ディスクの再生ＲＦ信号の周波数計測動作をスタートして、ステップＳ１でエッジ個数＝０にする。具体的には、エッジ個数カウント回路２３のカウント数をリセットする。
【００３１】
ステップＳ２でエッジ検出をする。具体的には、エッジ検出回路２０がＲＦ２値化信号のエッジ（ローレベルＬからハイレベルＨまたはハイレベルＨからローレベルＬ）を検出してエッジ検出パルスをエッジ間隔測定回路２１およびエッジ個数カウント回路２３に供給する。
【００３２】
ステップＳ３でエッジ間隔を測定する。具体的には、エッジ間隔測定回路２１がエッジ検出パルスからエッジ間隔を測定してエッジ間隔測定値をエッジ最大値記憶回路２２に供給する。
【００３３】
ステップＳ４でエッジ間隔の最大値を記憶する。具体的には、エッジ最大値記憶回路２２がエッジ間隔測定値のうち最大値を記憶して、測定毎に測定値と記憶している値とを比較して測定値が大きければその測定値を記憶する。
【００３４】
ステップＳ５でエッジ個数をインクリメントする。具体的には、エッジ検出パルスによりエッジ個数カウント回路２３のカウント数をインクリメントする。
【００３５】
ステップＳ６でエッジ個数が基準値（Ｃ１）と同じか否かを判断して、同じであればステップＳ７へ移行し同じでなければステップＳ２へ戻る。具体的には、エッジ個数カウント回路２３がエッジ検出パルスからエッジの個数をカウントして予め定めた１フレーム以上の区間となる個数であるプリセット値（ＣＤ／ＤＶＤにより異なる値）をカウントする毎に最低１フレームの区間毎のパルスをエッジ最大値記憶回路２２に供給する。エッジ最大値記憶回路２２が１フレーム以上の区間を示すパルスが入力されたとき記憶した値をリセットする。
【００３６】
ステップＳ７でエッジ間隔最大値が基準値（Ｃ２）よりも大きいか、小さいか、または等しいかを判断する。エッジ間隔最大値が基準値（Ｃ２）よりも大きいときはステップＳ８へ移行し、エッジ間隔最大値が基準値（Ｃ２）と等しいときはステップＳ９へ移行し、エッジ間隔最大値が基準値（Ｃ２）よりも小さいときはステップＳ１０へ移行して各処理後それぞれステップＳ１に戻る。具体的には、基準値−エッジ最大値比較回路２４が１フレーム以上の区間毎にエッジ最大値と基準値（ＣＤ／ＤＶＤにより異なる値）とを比較して、最大値＞基準値のときローレベルＬを出力し最大値＜基準値のときハイレベルＨを出力し、最大値＝基準値のときハイインピーダンスを出力する。
【００３７】
このようにして、同期信号のフォーマットが異なる複数の光ディスクの再生に対応した光ディスクドライブにおいて、同期信号である最長パターンの特徴の違いからディスクの種類を判別することができる。ここで、特に、ＣＤ／ＤＶＤの両方に対応して２種類のディスクの判別を最長パターンの特徴の違いから判別するようにしている。ＰＬＬがかかっていない状態でも判別が可能であることを前提として、クロック再生成ＰＬＬのＶＣＯの出力でＲＦ２値化信号をサンプリングして、最長パターンが最低１つは含まれるエッジ数の区間のエッジ間隔の最長のものを最長パターンとする。
【００３８】
なお、具体的な判別方法としては、上述において、エッジ最大値記憶回路２２において、最大値のみではなくて、最長パターンと最短パターンをそれぞれ検出して、基準値−エッジ最大値比較回路２４において、その比率によりディスク判別を行うようにすると一層判別を確実に行うことができる。例えば、ＣＤとＤＶＤでそれぞれ比率が１１／３，１４／３となる。この場合、最短パターンは、符号間干渉により間違えやすいので、複数の一定区間の最小値の最大値を最短パターンとするように処理する。
【００３９】
この場合、まず、最長パターンの計測時に同時に最短パターンを計測する。最長パターンと最短パターンの比率はＣＤでは１１／３であり、ＤＶＤでは１４／３なので、実際の計測結果をこれらの値と比較して、近い方が、現在、ＰＬＬをかけようとしているディスクであると判別することができる。
【００４０】
この方法の場合、最短パターンは符号間干渉により計測誤差が生じやすいので、複数の連続した測定区間の最短パターンのエッジ間隔のうち、最大のものを真の最短パターンのエッジ間隔であると見なして誤差の影響を軽減することができる。最短パターンは最長パターンに比べると、頻繁にＲＦ２値化信号に現れるので、例えば、１回最長パターンを測定する間に４回最短パターンを測定して、その最大値を真の最短パターンであると見なしてディスク判別に用いることができる。
【００４１】
図４は、第２の実施の形態の周波数計測器の構成を示すブロック図である。図４において、図２に示したものに対応するものには同一の符号をしてその説明を省略する。図４において、図２と異なる点は、最低１フレーム区間で、エッジ間隔の最大値が更新される毎に最大エッジ間隔−最大エッジ間隔の値を更新していく一方のエッジ間隔最大値−最大値カウント回路（１）４０と、カウンタをリセットスタートする他方のエッジ間隔最大値−最大値カウント回路（２）４１と、ディスク種類判別回路４２とを有する点である。
【００４２】
なお、エッジ間隔最大値−最大値カウント回路（１）４０とエッジ間隔最大値−最大値カウント回路（２）４１とは、次の最低１フレームの区間になると２つのカウンタの動作を互いに交代して、以下順次交代する。また、ディスク種類判別回路４２は、検出したエッジ間隔最大値と最大値と最大値の間隔の比（ＤＶＤ：１４８８／１４，ＣＤ：５８８／１１）で判別するか、もしくはＤＶＤでは１４Ｔが同期信号にしか現れないので、最大値−最大値の間隔が一定であり、ＣＤでは１１Ｔが信号中に現れるので、最大値−最大値が不定であることで両者の相違を判別する。
【００４３】
図５は、第２の実施の形態の周波数計測器の動作を示すフローチャートである。
図５において、ステップＳ１１〜Ｓ１４は図３におけるステップＳ１〜Ｓ４に対応し、ステップＳ１８〜Ｓ１９はステップＳ５〜Ｓ６に対応するので、その説明を省略する。図５において、図３と異なる点は、ステップＳ１５〜Ｓ１７、Ｓ２０を新たに設けた点である。
【００４４】
図５において、ステップＳ１４でエッジ間隔の最大値を記憶したら、ステップＳ１５で最大値が更新されたか否かを判断する。具体的には、図４に示すエッジ間隔最大値記憶回路２２で最大値が更新されて最大値アップデート信号が出力されたか否かを判断する。ステップＳ１５で最大値が更新されないならステップＳ１８へ進み、最大値が更新されたらステップＳ１６へ進む。ステップＳ１６で最大値の間隔の更新をする。具体的には、最大値アップデート信号に基づいてエッジ間隔最大値−最大値カウント回路（１）４０がエッジ間隔の最大値が更新される毎に最大エッジ間隔−最大エッジ間隔の値を更新する。
【００４５】
ステップＳ１７で他方の最大値間隔カウンタのリセットスタートする。具体的には、最大値アップデート信号に基づいてエッジ間隔最大値−最大値カウント回路（２）４１がカウンタをリセットスタートする。そしてステップＳ１８へ進んでエッジ個数をインクリメントする。ステップＳ１９でエッジ個数が基準値Ｃ１と同じであるか否かを判断して、同じであれば、ステップＳ２０でディスクの種類を判別してステップＳ１１へ戻る。ステップＳ１９でエッジ個数が基準値Ｃ１と同じでなければ、ステップＳ１２へ戻る。
【００４６】
このように、最長パターンの出現間隔の違いによりＣＤとＤＶＤの別を判別することができる。これは、例えば、ＣＤとＤＶＤとでそれぞれ最長パターンの間隔がチャンネルビットの周期Ｔの単位で５８８Ｔ、１４８８Ｔであることを根拠とするものである。
【００４７】
この場合、最長パターンの測定と同時にその間隔の測定を行う。上述したように、同期用の最長パターンの間隔はＣＤでは５８８Ｔ（ビット）、ＤＶＤでは１４８８Ｔ（ビット）なので、これらをそれぞれ平均のパターン長である４．５Ｔで割った値と最長パターンの間のエッジ数とを比較して、近い方が現在ＰＬＬをかけようとしているディスクであると判別することができる。
【００４８】
この方法の場合、最長パターンの測定区間を長くとって測定区間中に複数の最長パターンが現れることが見込まれる場合は、測定区間中の長い方から２つのパターンの間のエッジ数を測定し、測定区間を短くとった場合はある測定区間で検出した最長パターンから測定区間終了までのエッジ数と次の測定区間の先頭からそこでの最長パターンまでのエッジ数の和を用いてディスクの判別を行う。また、ＣＤの場合は同期信号以外にも信号中に最長パターンが現れるので、ＤＶＤとＣＤの判別に限れば、ＣＤでの最長パターン間のエッジ数は最大でもＤＶＤの１／３となって判別はより容易となる。
【００４９】
図６は、第３の実施の形態の周波数計測器の構成を示すブロック図である。図６において、図２に示したものに対応するものには同一の符号をしてその説明を省略する。図６において、図２と異なる点は、エッジ最大値記憶回路２２から最大値アップデート信号が出力されたとき最大値の次のエッジの間隔を記憶する最大値の次のエッジ間隔記憶回路６０と、ディスク種類判別回路６１とを設けた点である。
【００５０】
図７は、第３の実施の形態の周波数計測器の動作を示すフローチャートである。
図７において、ステップＳ２１〜Ｓ２３、Ｓ２６は図３におけるステップＳ１〜Ｓ３、Ｓ４に対応し、ステップＳ２７〜Ｓ２８はステップＳ５〜Ｓ６に対応するので、その説明を省略する。図７において、図３と異なる点は、ステップＳ２４〜Ｓ２５，Ｓ２９を新たに設けた点である。
【００５１】
図７において、ステップＳ２３でエッジ間隔を測定したら、ステップＳ２４で１つ前のループで最大値が更新されたか否かを判断する。具体的には、図６に示すエッジ間隔最大値記憶回路２２で最大値が更新されて最大値アップデート信号が出力されたか否かを判断する。ステップＳ２４で最大値が更新されないならステップＳ２６へ進み、最大値が更新されたらステップＳ２５へ進む。ステップＳ２５で最大エッジの間隔の次のエッジ間隔を更新する。具体的には、最大値アップデート信号に基づいて最大値の次のエッジ間隔記憶回路６０が最大値の次のエッジの間隔を記憶する。
【００５２】
そして、ステップＳ２６でエッジ間隔の最大値を記憶する。そしてステップＳ２７へ進んでエッジ個数をインクリメントする。ステップＳ２８でエッジ個数が基準値Ｃ１と同じであるか否かを判断して、同じであれば、ステップＳ２９でディスクの種類を判別してステップＳ２１へ戻る。ステップＳ２８でエッジ個数が基準値Ｃ１と同じでなければ、ステップＳ２２へ戻る。
【００５３】
このようにして、最長パターンに続くパターンと最長パターンの比率、または差によりＣＤとＤＶＤとを判別することができる。これは、例えば、ＣＤでは、最長パターンの１１Ｔが連続するのに対して、ＤＶＤでは最長パターンの１４Ｔに続くのは必ず４Ｔであることを根拠とするものである。
【００５４】
この場合、最長パターンだけではなく、それに続くパターンのエッジ間隔を同時に測定する。上述したように、同期用の最長パターンとしては、ＣＤは１１Ｔの連続であり、ＤＶＤは１４Ｔと４Ｔの組み合わせになっている。従って、ほぼ最長パターンが連続していればＣＤであり、また、最長パターンとその１４／４の長さのパターンが連続していいればＤＶＤであると判別することができる。
【００５５】
なお、このディスク種類判別は、クロック再生成ＰＬＬの周波数引き込み過程で行うことができる。この場合、ディスク判別が終了するまでは、どちらかのディスクであると仮定して、最長パターンがそのディスクに対応する値になるように周波数を引き込めばよいが、中間的な値となるように周波数を引き込んでもよい。
【００５６】
また、このディスク判別の動作の確実性を向上させるために、周波数引き込みが終了しているにも関わらず、位相がロックしない場合は、ディスク判別に誤認識がある可能性があるとして、周波数引き込みの基準値を切り換えて、再度、周波数引き込みから動作をやり直すことにより、ディスク判別の確度を向上させることができる。
【００５７】
なお、上述した周波数引き込みが終了したことは、周波数測定器６の出力がハイインピーダンスＨｉ−Ｚと、ローレベルＬまたはハイレベルＨの間を繰り返す状態になったことで検出できる。この場合、一定区間の平均値が０に近くて予め定めた敷居値以下である。
【００５８】
上述したディスク判別の方法は、いずれもＰＬＬの周波数引き込み過程で行うことができ、ディスク判別のための特別な時間を必要としない。従って、特別にディスク判別の回路を設けるのではなく、ＰＬＬ回路と一体化してディスクを自動的に判別して、ロックすることにより実現することができる。その場合、ディスク判別を行うのは最初のＰＬＬの引き込み時だけでよく、その後はリセットするまでは判別されたディスクだけを想定して周波数を引き込めばよい。従って、ＣＤとＤＶＤだけの判別を仮定すると、▲１▼判別付きモード、▲２▼記憶した判別結果でＰＬＬの位相を引き込むモード、▲３▼ＣＤモード、▲４▼ＤＶＤモード、の４つのモードを有する。
【００５９】
また、周波数引き込みはディスク判別が終了するまで開始を待つ必要はなく、どちらか一方のディスクの種類を仮定して開始してもかまわない。ただし、ディスク判別完了までは最長パターンの測定区間の長さは、最長となるディスクの種類に合わせることになる。また、周波数引き込みを開始した時点で既にロックする周波数が再生信号の周波数にかなり近い場合は、仮定しているディスクの種類と異なっている場合は基準値と実際の誤差により、周波数の引き込みが遅れることも考えられるので、その場合は２つの基準値の中間の値を基準値とすればよい。ＣＤとＤＶＤの判別を行う場合は１２Ｔまたは１３Ｔに設定すれば良い。
【００６０】
また、以上のディスク判別方法も間違える可能性があるので、周波数引き込みが完了して、周波数比較器が誤差信号を出力しない状態になっているにも関わらず、ＰＬＬがロックしない場合はディスク判別を間違えたと仮定して、周波数測定器が想定しているディスクを切り換えて、再度、周波数引き込みからやり直す手段を設ければ、ディスク判別の確度を向上させることができる。周波数引き込みの終了の判断は単に実験的に求めた一定期間をＰＬＬの起動から待つだけでもよく、ＰＬＬのロックの判定は、例えば、よく知られたＧＦＳ（Ｇｏｏｄ  Ｆｒａｍｅ  Ｓｙｎｃ）信号（内挿と実際の同期信号が一致すればハイレベルとなる）を用いて行えばよい。ＧＦＳ信号は、フレーム同期信号を検出した後、その検出したフレーム同期信号からフォーマット上の規定クロック数（ＣＤでは５８８、ＤＶＤでは１４８８）をＰＬＬの出力のクロックでカウントして、そこで再びフレーム同期信号が検出された場合にハイレベルとなる。従ってフレーム単位でハイレベルまたはローレベルになる。ＣＤやＤＶＤでは、ＰＬＬが位相ロックしていることを示す信号として用いられる。
【００６１】
従って、簡易的には、一方のディスクを仮定してＰＬＬがロックしなければ、もう一方のディスクを仮定してＰＬＬがロックするか否かでディスク判別を行うこともできる。
【００６２】
また、以上のディスク判別では、光ディスク１の反射率などサーボ系の条件が同程度の光ディスク１しか判別することができないので、実際のＤＶＤドライブにおいては、例えば、まず、６５０ｎｍのレーザーダイオードＬＤで通常の反射率を仮定して、この方式によりディスク判別を行い、ＰＬＬがかからなければ、ＲＦ再生系およびサーボ系のゲインを上げて、再びこの方式でディスク判別を行い、それでもＰＬＬがかからない場合にはＣＤ−Ｒであると判断して７８０ｎｍのレーザーダイオードＬＤに切り換える、という方法ですべてのディスクに対応することができる。
【００６３】
ただし、本実施の形態の光記録媒体判別装置を搭載した光ディスクドライブが、ＲＦ再生信号系およびサーボ系のオートゲインコントロール回路ＡＧＣを設けていて、この制御に対応していれば、ＣＤ−Ｒだけを特別扱いすればよく、その他のディスクに関しては、すべてＰＬＬの動作まではディスク判別を行わずに同一のシーケンスに従って動作させることができる。
【００６４】
上述した本実施の形態の光記録媒体判別装置は、光記録媒体としての光ディスク１に形成されたピットに光学ピックアップ３からレーザー光を照射して反射光を検出することにより情報信号を再生する光情報再生装置における、同期信号のフォーマットの異なる複数の種類の光記録媒体としての光ディスク１の相違を判別する光記録媒体判別装置であって、光記録媒体としての光ディスク１を回転させる駆動手段としてのスピンドルモータ２と、光記録媒体としての光ディスク１上の所定位置で光学ピックアップ３により情報信号を再生する再生手段と、再生手段により再生された情報信号の位相をロックさせるためのクロック信号を検出する位相ロック手段としてのクロック再生成ＰＬＬ４とを備え、位相ロック手段としてのクロック再生成ＰＬＬ４における再生された情報信号の２値化信号の最長パターンの相違から同期信号のフォーマットの異なる複数の種類の光記録媒体としての光ディスク１（ＣＤ／ＤＶＤ）の相違を判別するようにしたので、判別のための特別の回路を付加することなく、クロック再生成用ＰＬＬの周波数引き込み動作中にディスク判別の動作を行うことができ、高速判別を行うことができる。
【００６５】
また、上述した本実施の形態の光記録媒体判別装置は、上述において、位相ロック手段としてのクロック再生成ＰＬＬ４における再生された情報信号の２値化信号の最長パターンと最短パターンの比率の相違から同期信号のフォーマットの異なる複数の種類の光記録媒体の相違を判別するようにしたので、最長パターンの計測時に同時に最短パターンを計測して、実際の計測結果と予め定められた基準値の比率、例えば、最長パターンと最短パターンの比率はＣＤは１１／３であり、ＤＶＤでは１４／３なので、この比率とを比較することにより基準値に近いほうに対応するディスクであると判別することができる。
【００６６】
また、上述した本実施の形態の光記録媒体判別装置は、上述において、位相ロック手段としてのクロック再生成ＰＬＬ４における再生された情報信号の２値化信号の最長パターンの出現間隔の相違から同期信号のフォーマットの異なる複数の種類の光記録媒体の相違を判別するようにしたので、最長パターンの測定と同時にその間隔を測定して、同期用の最長パターンの間隔は、例えば、ＣＤでは５８８ビットであり、ＤＶＤでは１４８８ビットであるので、これらを平均のパターン長である４．５で割った基準値と最長パターンの間のエッジ数を比較して、基準値に近いほうに対応するディスクであると判別することができる。
【００６７】
また、上述した本実施の形態の光記録媒体判別装置は、上述において、位相ロック手段としてのクロック再生成ＰＬＬ４における再生された情報信号の２値化信号の最長パターンに続くパターンと最長パターンの比率、または差の相違から同期信号のフォーマットの異なる複数の種類の上記光記録媒体の相違を判別するようにしたので、最長パターンだけではなくそれに続くパターンのエッジ間隔を同時に測定し、ＣＤのように同期用のパターンとしてほぼ同じ１１Ｔのパターンが連続しているか、またはＤＶＤのように１４Ｔの最長パターンと４Ｔの長さのパターンの組み合わせが連続しているかで、対応するディスクであると判別することができる。
【００６８】
また、上述した本実施の形態の光記録媒体判別方法は、光記録媒体としての光ディスク１に形成されたピットに光学ピックアップ３からレーザー光を照射して反射光を検出することにより情報信号を再生する光情報再生方法における、同期信号のフォーマットの異なる複数の種類の光記録媒体としての光ディスク１の相違を判別する光記録媒体判別方法であって、光記録媒体としての光ディスク１を回転させ、光記録媒体としての光ディスク１上の所定位置で光学ピックアップ３により情報信号を再生し、再生された情報信号の位相をロックさせるためのクロック信号を検出する際に、再生された情報信号の２値化信号の最長パターンの相違から同期信号のフォーマットの異なる複数の種類の光記録媒体の相違を判別するようにしたので、判別のための特別の処理を付加することなく、クロック再生成用ＰＬＬの周波数引き込み動作中にディスク判別の動作を行うことができ、このために特別の時間を要しないので、高速判別を行うことができる。
【００６９】
また、上述した本実施の形態の光記録媒体判別方法は、上述において、再生された情報信号の２値化信号の最長パターンと最短パターンの比率の相違から同期信号のフォーマットの異なる複数の種類の光記録媒体の相違を判別するようにしたので、最長パターンの計測時に同時に最短パターンを計測して、実際の計測結果と予め定められた基準値の比率とを比較することにより基準値に近いほうに対応するディスクであると判別することができる。
【００７０】
また、上述した本実施の形態の光記録媒体判別方法は、上述において、再生された情報信号の２値化信号の最長パターンの出現間隔の相違から同期信号のフォーマットの異なる複数の種類の光記録媒体の相違を判別するようにしたので、最長パターンの測定と同時にその間隔を測定して、最長パターンの間隔を平均のパターン長で割った基準値と最長パターンの間のエッジ数を比較して、基準値に近いほうに対応するディスクであると判別することができる。
【００７１】
また、上述した本実施の形態の光記録媒体判別方法は、上述において、再生された情報信号の２値化信号の最長パターンに続くパターンと最長パターンの比率、または差の相違から同期信号のフォーマットの異なる複数の種類の光記録媒体の相違を判別するようにしたので、最長パターンだけではなくそれに続くパターンのエッジ間隔を同時に測定し、ほぼ同じパターンが連続しているか、または最長パターンと別の長さのパターンが連続しているかで、対応するディスクであると判別することができる。
【００７２】
また、上述した本実施の形態の光記録媒体判別方法は、上述において、最初の判別を行った後、リセットされるまでは、上記判別結果を記憶しておいて、次回からは、その判別結果を用いて、上記クロック信号を検出するようにしたので、高速なＰＬＬの位相の引き込みが要求されるシーク時などにオーバーヘッドを防止することができる。
【００７３】
【発明の効果】
本発明の光記録媒体判別装置は、光記録媒体に形成されたピットに光学ピックアップからレーザー光を照射して反射光を検出することにより情報信号を再生する光情報再生装置における、同期信号のフォーマットの異なる複数の種類の上記光記録媒体の相違を判別する光記録媒体判別装置であって、上記光記録媒体を回転させる駆動手段と、上記光記録媒体上の所定位置で光学ピックアップにより上記情報信号を再生する再生手段と、上記再生手段により再生された情報信号の位相をロックさせるためのクロック信号を検出する位相ロック手段とを備え、上記位相ロック手段における再生された上記情報信号の２値化信号の最長パターンの相違から同期信号のフォーマットの異なる複数の種類の上記光記録媒体の相違を判別するようにしたので、判別のための特別の回路を付加することなく、クロック再生成用ＰＬＬの周波数引き込み動作中にディスク判別の動作を行うことができ、高速判別を行うことができるという効果を奏する。
【００７４】
また、本発明の光記録媒体判別装置は、上述において、上記位相ロック手段における再生された上記情報信号の２値化信号の最長パターンと最短パターンの比率の相違から同期信号のフォーマットの異なる複数の種類の上記光記録媒体の相違を判別するようにしたので、最長パターンの計測時に同時に最短パターンを計測して、実際の計測結果と予め定められた基準値の比率とを比較することにより基準値に近いほうに対応するディスクであると判別することができるという効果を奏する。
【００７５】
また、本発明の光記録媒体判別装置は、上述において、上記位相ロック手段における再生された上記情報信号の２値化信号の最長パターンの出現間隔の相違から同期信号のフォーマットの異なる複数の種類の上記光記録媒体の相違を判別するようにしたので、最長パターンの測定と同時にその間隔を測定して、最長パターンの間隔を平均のパターン長で割った基準値と最長パターンの間のエッジ数を比較して、基準値に近いほうに対応するディスクであると判別することができるという効果を奏する。
【００７６】
また、本発明の光記録媒体判別装置は、上述において、上記位相ロック手段における再生された上記情報信号の２値化信号の最長パターンに続くパターンと最長パターンの比率、または差の相違から同期信号のフォーマットの異なる複数の種類の上記光記録媒体の相違を判別するようにしたので、最長パターンだけではなくそれに続くパターンのエッジ間隔を同時に測定し、ほぼ同じパターンが連続しているか、または最長パターンと別の長さのパターンが連続しているかで、対応するディスクであると判別することができるという効果を奏する。
【００７７】
また、本発明の光記録媒体判別方法は、光記録媒体に形成されたピットに光学ピックアップからレーザー光を照射して反射光を検出することにより情報信号を再生する光情報再生方法における、同期信号のフォーマットの異なる複数の種類の上記光記録媒体の相違を判別する光記録媒体判別方法であって、上記光記録媒体を回転させ、上記光記録媒体上の所定位置で光学ピックアップにより上記情報信号を再生し、再生された上記情報信号の位相をロックさせるためのクロック信号を検出する際に、再生された上記情報信号の２値化信号の最長パターンの相違から同期信号のフォーマットの異なる複数の種類の上記光記録媒体の相違を判別するようにしたので、判別のための特別の処理を付加することなく、クロック再生成用ＰＬＬの周波数引き込み動作中にディスク判別の動作を行うことができ、このために特別の時間を要しないので、高速判別を行うことができるという効果を奏する。
【００７８】
また、本発明の光記録媒体判別方法は、上述において、再生された上記情報信号の２値化信号の最長パターンと最短パターンの比率の相違から同期信号のフォーマットの異なる複数の種類の上記光記録媒体の相違を判別するようにしたので、最長パターンの計測時に同時に最短パターンを計測して、実際の計測結果と予め定められた基準値の比率とを比較することにより基準値に近いほうに対応するディスクであると判別することができるという効果を奏する。
【００７９】
また、本発明の光記録媒体判別方法は、上述において、再生された上記情報信号の２値化信号の最長パターンの出現間隔の相違から同期信号のフォーマットの異なる複数の種類の上記光記録媒体の相違を判別するようにしたので、最長パターンの測定と同時にその間隔を測定して、最長パターンの間隔を平均のパターン長で割った基準値と最長パターンの間のエッジ数を比較して、基準値に近いほうに対応するディスクであると判別することができるという効果を奏する。
【００８０】
また、本発明の光記録媒体判別方法は、上述において、再生された上記情報信号の２値化信号の最長パターンに続くパターンと最長パターンの比率、または差の相違から同期信号のフォーマットの異なる複数の種類の上記光記録媒体の相違を判別するようにしたので、最長パターンだけではなくそれに続くパターンのエッジ間隔を同時に測定し、ほぼ同じパターンが連続しているか、または最長パターンと別の長さのパターンが連続しているかで、対応するディスクであると判別することができるという効果を奏する。
【００８１】
また、本発明の光記録媒体判別方法は、上述において、最初の判別を行った後、リセットされるまでは、上記判別結果を記憶しておいて、次回からは、その判別結果を用いて、上記クロック信号を検出するようにしたので、高速なＰＬＬの位相の引き込みが要求されるシーク時などにオーバーヘッドを防止することができる。
【図面の簡単な説明】
【図１】本発明の実施の形態の光ディスクドライブのクロック再生成ＰＬＬの構成を示すブロック図である。
【図２】本発明の実施の形態の周波数計測器の構成を示すブロック図である。
【図３】本発明の実施の形態の周波数計測器の動作を示すフローチャートである。
【図４】本発明の第２の実施の形態の周波数計測器の構成を示すブロック図である。
【図５】本発明の第２の実施の形態の周波数計測器の動作を示すフローチャートである。
【図６】本発明の第３の実施の形態の周波数計測器の構成を示すブロック図である。
【図７】本発明の第３の実施の形態の周波数計測器の動作を示すフローチャートである。
【符号の説明】
１……光ディスク、２……スピンドルモータ、３……光学ピックアップ、４……クロック再生成ＰＬＬ、５……位相比較器、６……周波数計測器、７……加算器、８……ＬＰＦ、９……ＶＣＯ、１０……分周器、２０……エッジ検出回路、２１……エッジ間隔測定回路、２２……エッジ最大値記憶回路、２３……エッジ個数カウント回路、２４……基準値とエッジ最大値比較回路、４０……エッジ間隔最大値−最大値カウント回路（１）、４１……エッジ間隔最大値−最大値カウント回路（２）、４２……ディスク種類判別回路、６０……最大値の次のエッジ間隔記憶回路、６０……ディスク種類判別回路、
【図１】
0003944994.tif 000002
【図２】
0003944994.tif 000003
【図３】
0003944994.tif 000004
【図４】
0003944994.tif 000005
【図５】
0003944994.tif 000006
【図６】
0003944994.tif 000007
【図７】
0003944994.tif 000008